(57)【要約】【課題】収納内容物を取り出す時に、中箱をスライドさせ引き出したながら、内容物を外側へ取り出せる機能を有する紙製収納箱を提供することにある。【解決手段】トレー形状の中箱と両端が開放されているスリーブ状の外箱とを有する紙製収納箱において、該外箱が、少なくとも、長方形の底面板の一方の長辺に側面板、天面板、側面板がそれぞれ罫線を介して順次連設され、前記天面板の一方の短辺に連結板、傾斜台板がそれぞれ罫線を介して連設され、前記傾斜台板の両側の短辺に所定の大きさの三角状支持板がそれぞれ罫線を介して連設されているブランクからなり、前記連結板及び傾斜台板が罫線を介して内側に折り返され、さらに前記傾斜台板が罫線を介して底面板方向に斜めに折り曲げられ、かつ両側の三角状支持板が罫線を介して直角に折り曲げられていると共に、該外箱の天面板に内容物を取り出す開口部を設ける為の凹状の切れ目線が設けられたものからなる。【選択図】図１
2005212834.tif 000002
【特許請求の範囲】
【請求項１】
少なくとも底面板と側面板を有するトレー形状の中箱と、該中箱を覆って、両端が開放されているスリーブ状の外箱とを有する紙製収納箱において、該外箱が、少なくとも、長方形の底面板の一方の長辺に長方形の側面板、長方形の天面板、長方形の側面板がそれぞれ罫線を介して順次連設され、前記天面板の一方の短辺に長方形の連結板、長方形の傾斜台板がそれぞれ罫線を介して順次連設され、前記傾斜台板の両側の短辺に傾斜台板を支える為の所定の大きさの三角状支持板がそれぞれ罫線を介して連設されているブランクからなり、前記連結板及び傾斜台板が天面板と連結板間の罫線を介して内側に折り返され、さらに前記傾斜台板が連結板と傾斜台板間の罫線を介して底面板方向に斜めに折り曲げられ、かつ両側の三角状支持板が傾斜台板を下側から支えるように罫線を介して直角に折り曲げられていると共に、該外箱の天面板の傾斜台板側の短辺に近接する所定位置に短辺と平行に所定長さの罫線が設けられ、該罫線の一端から罫線と直角に傾斜台板側に所定長さで直線状に伸びた後に、直角に折れ曲がって所定長さで直線状に伸び、更に直角に折れ曲がって、前記罫線の他端まで直線状に伸びている凹状の切れ目線が設けられたものからなることを特徴とする紙製収納箱。
【発明の詳細な説明】
【技術分野】
【０００１】
本発明は、中箱と該中箱を覆う外箱とを有する紙製収納箱に関するものである。
【背景技術】
【０００２】
中箱と該中箱を覆う外箱とを有する紙製収納箱に収納した内容物を取り出す時、通常は内側の中箱をスライドさせ、引き出した後に、内容物を一つ一つ手でつまんで取り出すのが普通であるが、内容物によっては中箱を一方向にスライドさせ引き出す時に、手で触れることなく簡単に箱の外側へ取り出せる機能を有する紙製の収納箱が求められていた。
【発明の開示】
【発明が解決しようとする課題】
【０００３】
本発明の課題は、収納した内容物を取り出す時に、中箱をスライドさせ引き出したながら、内容物を簡単に外側へ取り出せる機能を有する紙製収納箱を提供することにある。
【課題を解決するための手段】
【０００４】
本発明の請求項１に係る発明は、少なくとも底面板と側面板を有するトレー形状の中箱と、該中箱を覆って、両端が開放されているスリーブ状の外箱とを有する紙製収納箱において、該外箱が、少なくとも、長方形の底面板の一方の長辺に長方形の側面板、長方形の天面板、長方形の側面板がそれぞれ罫線を介して順次連設され、前記天面板の一方の短辺に長方形の連結板、長方形の傾斜台板がそれぞれ罫線を介して順次連設され、前記傾斜台板の両側の短辺に傾斜台板を支える為の所定の大きさの三角状支持板がそれぞれ罫線を介して連設されているブランクからなり、前記連結板及び傾斜台板が天面板と連結板間の罫線を介して内側に折り返され、さらに前記傾斜台板が連結板と傾斜台板間の罫線を介して底面板方向に斜めに折り曲げられ、かつ両側の三角状支持板が傾斜台板を下側から支えるように罫線を介して直角に折り曲げられていると共に、該外箱の天面板の傾斜台板側の短辺に近接する所定位置に短辺と平行に所定長さの罫線が設けられ、該罫線の一端から罫線と直角に傾斜台板側に所定長さで直線状に伸びた後に、直角に折れ曲がって所定長さで直線状に伸び、更に直角に折れ曲がって、前記罫線の他端まで直線状に伸びている凹状の切れ目線が設けられたものからなることを特徴とする紙製収納箱である。
【発明の効果】
【０００５】
本発明の紙製収納箱は、少なくとも底面板と側面板を有するトレー形状の中箱と、該中箱を覆って、両端が開放されているスリーブ状の外箱とを有する紙製収納箱において、該外箱が、少なくとも、長方形の底面板の一方の長辺に長方形の側面板、長方形の天面板、長方形の側面板がそれぞれ罫線を介して順次連設され、前記天面板の一方の短辺に長方形の連結板、長方形の傾斜台板がそれぞれ罫線を介して順次連設され、前記傾斜台板の両側の短辺に傾斜台板を支える為の所定の大きさの三角状支持板がそれぞれ罫線を介して連設されているブランクからなり、前記連結板及び傾斜台板が天面板と連結板間の罫線を介して内側に折り返され、さらに前記傾斜台板が連結板と傾斜台板間の罫線を介して底面板方向に斜めに折り曲げられ、かつ両側の三角状支持板が傾斜台板を下側から支えるように罫線を介して直角に折り曲げられていると共に、該外箱の天面板の傾斜台板側の短辺に近接する所定位置に短辺と平行に所定長さの罫線が設けられ、該罫線の一端から罫線と直角に傾斜台板側に所定長さで直線状に伸びた後に、直角に折れ曲がって所定長さで直線状に伸び、更に直角に折れ曲がって、前記罫線の他端まで直線状に伸びている凹状の切れ目線が設けられたものからなっているので、収納した内容物を取り出す時に、切れ目線を切断して、切れ目線で囲まれた部分を上方に引き上げて開口部を設け、中箱を傾斜台板がある方向にスライドさせ、引き出しながら、手で触れることなく開口部から容易に内容物を外に
取り出すことが可能である。
【発明を実施するための最良の形態】
【０００６】
本発明の紙製収納箱を実施の形態に沿って、以下に説明する。図１は本発明の一実施形態の紙製収納箱の斜視図であり、紙製収納器（１）は底面板と側面板を有するトレー形状の中箱（１００）と、前記中箱（１００）を覆って、両端が開放されているスリーブ状の外箱（１０）とからなっており、外箱（１０）には収納した内容物が飛び出してくる開口部を設ける為の凹状の切れ目線（２９）を有している。
【０００７】
以下に、外箱（１０）と中箱（１００）をさらに詳細に説明する。図２（ａ）は本発明の一実施形態の紙製収納箱の外箱のブランクの平面図であり、長方形の底面板（１１）の一方の長辺に罫線（２０）を介して長方形の側面板（１２）が連設され、前記側面板（１２）の他方の長辺に罫線（２１）を介して長方形の天面板（１３）が連設され、前記天面板（１３）の他方の長辺に罫線（２２）を介して長方形の側面板（１４）が連設され、前記側面板（１４）の他方の長辺に罫線（２３）を介して糊代（１９）が連設され、さらに、前記天面板（１３）の一方の短辺に長方形の連結板（１５）、長方形の傾斜台板（１６）がそれぞれ罫線（２４、２５）を介して連設され、さらに前記傾斜台板（１６）の両側の短辺に傾斜台板を下側から支える為の所定の大きさの三角状支持板（１７、１８）がそれぞれ罫線（２６、２７）を介して連設されている。なお、前記糊代（１９）は底面板（１１）の側面板(１２)の反対側の長辺に罫線を介して連設しても良い。
【０００８】
図２（ｂ）は前記ブランクからなる外箱の斜視図であり、（ｃ）は前記外箱の片方の側面板側から見た断面説明図であり、天面板（１３）には凹状の切れ目線（２９）と板の内側には罫線（２８）が設けられており、内部は前記連結板（１５）及び傾斜台板（１６）が罫線（２４）を介して内側に折り返され、さらに前記傾斜台板（１６）が罫線（２５）を介して底面板（１１）方向に斜めに折り曲げられ、かつ両側の三角状支持板（図には片方の三角状支持板（１７）のみ示している）が傾斜台板（１６）を下側から支えるように直角に折り曲げられている。前記切れ目線（２９）は収納した内容物を取り出す時に、この切れ目線（２９）を切断し、切れ目線（２９）で囲まれた部分を上方向に引っ張り上げで開口部を設け、その開口部から内容物を飛び出させる為に設けている。
【０００９】
図３（ａ）は本発明の一実施形態の紙製収納箱の中箱のブランクの平面図であり、長方形の底面板（１０１）の一方の短辺に罫線（３００）を介して長方形の側面板（１０２）が連設され、前記側面板（１０２）の他方の長辺に罫線（３０１）を介してフラップ（１０６）が連設され、前記長方形の底面板（１０１）の他方の短辺に罫線（３０２）を介して長方形の側面板（１０３）が連設され、前記側面板（１０３）の他方の長辺に罫線（３０３）を介してフラップ（１０７）が連設され、さらに、前記長方形の底面板（１０１）の一方の長辺に罫線（３０４）を介して側面板（１０４）が連設され、前記側面板（１０４）の両方の短辺に糊代（２００、２０１）がそれぞれ罫線（３０６、３０７）を介して連設され、前記長方形の底面板（１０１）の他方の長辺に罫線（３０５）を介して長方形の側面板（１０５）が連設され、前記側面板（１０５）の両方の短辺に糊代（２０２、２０３）がそれぞれ罫線（３０８、３０９）を介して連設されており、（ｂ）は中箱の斜視図であり、底面板（１０１）と側面板（１０２、１０３、１０４、１０５）を有しており、フラップ（１０６、１０７）は内側にそれぞれ折り込まれている。
【００１０】
前記切れ目線（２９）の構造は、手で容易に切断できるものであれば特に限定しないが、例えば、点線状の孔が開いている構造のものや紙の厚みの半分程度がカットされているハーフカット状の構造のものなどが良い。
【００１１】
本発明の紙製収納箱の中箱及び外箱に使用する材料は特に限定されず、紙層単体に印刷
を施したもの、あるいは紙層と高分子樹脂からなる他の層との積層体の紙層面に印刷を施したものが好ましい。
【００１２】
さらに、本発明の紙製収納箱の使用例を説明する。図４（ａ）は紙製収納箱に内容物を収納した時の状態を説明する為の断面図であり、中箱（１００）の中に内容物（４００）が収納されており、（ｂ）は紙製収納箱から内容物を取り出す時の状態を説明する為の断面図であり、外箱の天面板（１３）に設けられた切れ目線（２９）を切断し、切れ目線（２９）で囲まれた部分の天面板（１３ａ）を上方向に引き上げ、開口部（３０）を設けた状態を説明しており、（ｃ）は中箱をスライドさせ、引き出した時の状態を説明する為の断面図であり、中箱（１００）がスライドされ、引きだされた時に、内容物（４００）は傾斜台板（１６）に沿って上方向に上昇し、開口部（３０）から外側へ飛び出してくる。従って、取り出す時に手で触れることなく容易に外側に取り出せる。
【図面の簡単な説明】
【００１３】
【図１】本発明の一実施形態の紙製収納箱の斜視図である。
【図２】（ａ）は本発明の紙製収納箱の一実施形態の外箱のブランクの平面図であり、（ｂ）は外箱の斜視図であり、（ｃ）は外箱の側面板側からの断面説明図である。
【図３】（ａ）は本発明の紙製収納箱の一実施形態の中箱のブランクの平面図であり、（ｂ）は中箱の斜視図である。
【図４】（ａ）〜（ｃ）は本発明の紙製収納箱の使用例を示した説明図である。
【符号の説明】
【００１４】
１…紙製収納箱
１０…外箱
１１…外箱の底面板
１２，１４…外箱の側面板
１３，１３ａ…外箱の天面板
１５…外箱の連結板
１６…外箱の傾斜台板
１７，１８…外箱の三角状支持板
１９…糊代
２０，２１，２２，２３，２４，２５，２６，２７，２８…罫線
２９…切れ目線
３０…開口部
１００…中箱
１０１…中箱の底面板
１０２，１０３，１０４，１０５…中箱の側面板
１０６，１０７…中箱のフラップ
２００，２０１，２０２，２０３…中箱の糊代
３００，３０１，３０２，３０３，３０４，３０５，３０６，３０７，３０８，３０９…罫線
４００…内容物
【図１】
2005212834.tif 000003
【図２】
2005212834.tif 000004
【図３】
2005212834.tif 000005
【図４】
2005212834.tif 000006